(57)【要約】【課題】デジタル放送波及び、アナログ放送波を受信するチューナにおいて、充分な減衰量を得ると共に歪みの改善を行うことを目的とするものである。【解決手段】入力端子２１と、混合回路２７との間に、ＡＧＣ回路２２とバッファアンプ２３とＡＧＣ回路２５をこの順に接続しているので充分な減衰量が得られる。また、ＡＧＣ回路２２をＡＧＣ回路２５よりも先にＡＧＣ制御電圧により先に減衰させるようにしているので、歪み改善をすることができる。【選択図】  図１
2004215151.tif 000002
【特許請求の範囲】
【請求項１】
アナログ放送波とデジタル放送波が入力される入力端子と、この入力端子に接続されると共にピンダイオードで形成された第１のＡＧＣ回路と、この第１のＡＧＣ回路の出力が接続されたバッファアンプと、このバッファアンプの出力が供給される第２のＡＧＣ回路と、この第２のＡＧＣ回路の出力が供給されると共に他方の端子には局部発振回路の出力が接続された混合回路と、この混合回路の出力が接続された中間周波数フィルタと、この中間周波数フィルタの出力が接続されると共に電子回路で形成された切替スイッチと、この切替スイッチの一方の出力が供給される第１の出力端子と、前記切替スイッチの他方の出力が供給される第２の出力端子とを備え、前記第１のＡＧＣ回路は前記第２のＡＧＣ回路より先に大きく減衰する減衰特性にすると共に、前記第１の出力端子に接続されるアナログ復調器或いは前記第２の出力端子に接続されるデジタル復調器から出力される信号に基づいて形成されるＡＧＣ制御電圧で、前記第１のＡＧＣ回路と前記第２のＡＧＣ回路を制御するデジタル・アナログ共用チューナ。
【請求項２】
第１の出力端子にアナログ復調器を接続すると共に、これらを一体化した金属ケースに収納した請求項１に記載のデジタル・アナログ共用チューナ。
【請求項３】
切替スイッチの他方の端子と第２の出力端子との間にデジタル復調器を挿入すると共に第１のＡＧＣ回路と第２のＡＧＣ回路を制御する切替スイッチが一体化された金属ケースに収納された請求項２に記載のデジタル・アナログ共用チューナ。
【請求項４】
アナログ放送波とデジタル放送波が入力される入力端子と、この入力端子に接続されると共にピンダイオードで形成された第１のＡＧＣ回路と、この第１のＡＧＣ回路の出力が接続されたバッファアンプと、このバッファアンプの出力が供給される第２のＡＧＣ回路と、この第２のＡＧＣ回路の出力が供給されると共に他方の端子には局部発振回路の出力が接続された混合回路と、この混合回路の出力が接続された中間周波数フィルタと、この中間周波数フィルタの出力が接続されると共に電子回路で形成された切替スイッチと、この切替スイッチの一方の出力が供給される第１の出力端子と、前記切替スイッチの他方の出力が供給される第２の出力端子とを備え、前記第２のＡＧＣ回路は前記第１のＡＧＣ回路より先に大きく減衰する減衰特性にすると共に、前記第１の出力端子に接続されるアナログ復調器或いは前記第２の出力端子に接続されるデジタル復調器から出力される信号に基づいて形成されるＡＧＣ制御電圧で、前記第１のＡＧＣ回路と前記第２のＡＧＣ回路を制御するデジタル・アナログ共用チューナ。
【発明の詳細な説明】
【０００１】
【発明の属する技術分野】
本発明は、デジタル放送波とアナログ放送波が混在した信号を受信するデジタル・アナログ共用チューナに関するものである。
【０００２】
【従来の技術】
以下、従来のデジタル・アナログ共用チューナについて説明する。
【０００３】
従来のデジタル・アナログ共用チューナは、図３に示すようなものであった。即ち図３において、デジタル信号とアナログ信号が入力される入力端子１と、この入力端子１に接続されたＡＧＣ回路２と、このＡＧＣ回路２の出力が一方の入力に接続されると共に他方の入力端子には局部発振回路３の出力が接続された混合回路４と、この混合回路４の出力が接続された中間周波数フィルタ５と、この中間周波数フィルタ５の出力が接続されたスイッチ６と、このスイッチ６に接続されたアナログ復調器７と、このアナログ復調器７の出力に接続された出力端子１０と、中間周波数フィルタ５の出力に接続されたスイッチ８と、このスイッチ８に接続されると共に出力端子１０との間に接続されたデジタル復調器９とで構成されていた。
【０００４】
また、アナログ復調器７とデジタル復調器９の出力は検波回路１１を介して、ＡＧＣ回路２の制御端子に接続されると共に減衰量を制御するものであった。
【０００５】
このとき、現存するアナログ放送受信時に妨害を与えないようにするために、デジタル放送波は十分に小さい信号レベルで放送されることになる。このため、デジタル放送受信時には、大きなレベルのアナログ放送波により例えば隣接信号としての妨害を受けることになる。
【０００６】
ここで、デジタル放送波は低いＣ／Ｎでも優れた受信性能を有するという特徴を持つ。このため、デジタル放送受信時では、アナログ放送受信時の入力信号レベルに対しておよそ１５ｄＢから２０ｄＢの小さな入力信号レベルが入力されたときから前記ＡＧＣ回路２のＡＧＣ制御を行って隣接妨害を改善できる。
【０００７】
以上より、前記ＡＧＣ回路２でのＡＧＣ制御量は、アナログ放送受信時では略４５ｄＢに対してデジタル放送受信時には略６５ｄＢ程度のレンジで制御する必要があった。
【０００８】
尚、この出願の発明に関連する先行技術文献情報としては、例えば、特許文献１が知られている。
【０００９】
【特許文献１】
特開平８−１８１５５６号公報
【００１０】
【発明が解決しようとする課題】
しかしながらこのような従来のデジタル・アナログ共用チューナでは、ＡＧＣ回路２が１つであったため６５ｄＢという大きな減衰量を稼ぐのは困難であった。
【００１１】
そこで本発明は、この問題を解決したもので、十分な減衰量が得られるデジタル・アナログ共用チューナを提供することを目的としたものである。
【００１２】
【課題を解決するための手段】
この目的を達成するために本発明のデジタル・アナログ共用チューナは、入力端子と混合回路との間に第１のＡＧＣ回路と、この第１のＡＧＣ回路の出力にバッファアンプを介して第２のＡＧＣ回路を接続し、前記第１のＡＧＣ回路が前記第２のＡＧＣ回路より先に大きく減衰する減衰特性にすると共に、前記第１の出力端子に接続されるアナログ復調器或いは前記第２の出力端子に接続されるデジタル復調器から出力される信号に基づいて形成されるＡＧＣ信号で、前記第１のＡＧＣ回路と前記第２のＡＧＣ回路を制御したものである。これにより、充分な減衰量を得ることができる。
【００１３】
【発明の実施の形態】
本発明の請求項１に記載の発明は、アナログ放送波とデジタル放送波が入力される入力端子と、この入力端子に接続されると共にピンダイオードで形成された第１のＡＧＣ回路と、この第１のＡＧＣ回路の出力が接続されたバッファアンプと、このバッファアンプの出力が接続された第２のＡＧＣ回路と、この第２のＡＧＣ回路の出力が接続されると共に他方の端子には局部発振回路の出力が接続された混合回路と、この混合回路の出力が接続された中間周波数フィルタと、この中間周波数フィルタの出力が接続されると共に電子回路で形成された切替スイッチと、この切替スイッチの一方の出力が供給される第１の出力端子と、前記切替スイッチの他方の出力が供給される第２の出力端子とを備え、前記第１のＡＧＣ回路が前記第２のＡＧＣ回路より先に大きく減衰する減衰特性にすると共に、前記第１の出力端子に接続されるアナログ復調器或いは前記第２の出力端子に接続されるデジタル復調器から出力される信号に基づいて形成されるＡＧＣ制御電圧で、前記第１のＡＧＣ回路と前記第２のＡＧＣ回路を制御するデジタル・アナログ共用チューナであり、このように第１のＡＧＣ回路と第２のＡＧＣ回路が直列に接続されているので、デジタル放送受信時に必要とされる充分な減衰量を得ることができる。
【００１４】
また、第１のＡＧＣ回路によって先に減衰させるように設定しているので、歪み特性を良好にすることができる。
【００１５】
更に、第１の出力端子と、第２の出力端子を有しているのでデジタル放送波の出力とアナログ放送波の出力を別々に出力することができる。
【００１６】
請求項２に記載の発明は、第１の出力端子にアナログ復調器を接続すると共に、これらを一体化した金属ケースに収納した請求項１に記載のデジタル・アナログ共用チューナであり、このようにアナログ復調器が一体化した金属ケース内に収納されているのでアナログＡＧＣ制御電圧に対してはそのまま内部で第１のＡＧＣ回路と第２のＡＧＣ回路に接続することができる。
【００１７】
また、これらの回路が金属製のケースに収められているので、外部からの影響を受けにくく、外部へ与える妨害を軽減できる。更に、取り扱いも非常に容易にできる。
【００１８】
請求項３に記載の発明は、切替スイッチの他方の端子と第２の出力端子との間にデジタル復調器を挿入すると共に第１のＡＧＣ回路と第２のＡＧＣ回路を制御する切替スイッチが一体化された金属ケースに収納された請求項２に記載のデジタル・アナログ共用チューナであり、デジタル復調器も同一の金属ケースに収納されているので、取り扱いが容易となり、ＡＧＣ回路に供給するＡＧＣ制御電圧の切替スイッチも内蔵しているので、更に取り扱いが容易となる。
【００１９】
請求項４に記載の発明は、アナログ放送波とデジタル放送波が入力される入力端子と、この入力端子に接続されると共にピンダイオードで形成された第１のＡＧＣ回路と、この第１のＡＧＣ回路の出力が接続されたバッファアンプと、このバッファアンプの出力が接続された第２のＡＧＣ回路と、この第２のＡＧＣ回路の出力が接続されると共に他方の端子には局部発振回路の出力が接続された混合回路と、この混合回路の出力が接続された中間周波数フィルタと、この中間周波数フィルタの出力が接続されると共に電子回路で形成された切替スイッチと、この切替スイッチの一方の出力が供給される第１の出力端子と、前記切替スイッチの他方の出力が供給される第２の出力端子とを備え、前記第２のＡＧＣ回路は前記第１のＡＧＣ回路より先に大きく減衰する減衰特性にすると共に、前記第１の出力端子に接続されるアナログ復調器或いは前記第２の出力端子に接続されるデジタル復調器から出力される信号に基づいて形成されるＡＧＣ制御電圧で、前記第１のＡＧＣ回路と前記第２のＡＧＣ回路を制御するデジタル・アナログ共用チューナであり、このように第１のＡＧＣ回路と第２のＡＧＣ回路が直列に接続されているので、デジタル放送受信時に必要とされる充分な減衰量を得ることができる。
【００２０】
また、第２のＡＧＣ回路によって先に減衰させるように設定しているので、ＮＦ特性を良好にすることができる。
【００２１】
以下、実施の形態について図面に基づいて説明する。
【００２２】
図１は、本発明の実施の形態１におけるデジタル・アナログ共用チューナのブロック図である。図１において、２１は入力端子であり、この入力端子２１には、デジタル放送波とアナログ放送波が入力される。この入力周波数は、５４ＭＨｚ〜８６４ＭＨｚである。また入力信号レベルとしては、０ｄＢｍから−８０ｄＢｍ程度の幅を有する信号が入力されると思われる。２２はピンダイオードで形成されたＡＧＣ回路（第１のＡＧＣ回路の一例として用いた）である。ＡＧＣ回路２２にピンダイオードを用いた理由は、大きな入力信号が加わった時の歪み特性に優れているからである。
【００２３】
このＡＧＣ回路２２の出力はバッファアンプ２３に接続されている。このバッファアンプ２３の出力はアンテナ同調回路２４に接続され、その出力はＭＯＳＦＥＴを用いたＡＧＣ回路２５（第２のＡＧＣ回路の一例として用いた）に接続されている。このＡＧＣ回路２５にＭＯＳＦＥＴを用いた理由は、ＮＦ特性に優れているからである。
【００２４】
このＡＧＣ回路２５の出力は段間同調回路２６に接続され、その出力は混合回路２７の一方の端子に接続されている。また他方の端子には局部発振回路２８の出力が接続されている。混合回路２７の出力は中間周波数フィルタ２９を介して電子回路で形成された切替スイッチ３０の共通端子に接続される。この切替スイッチ３０の一方の端子は、出力端子３８に接続される。また、この出力端子３８からはアナログ復調器３１を介して出力端子３２に接続されている。また、切替スイッチ３０の他方の端子は出力端子３３に接続されている。
【００２５】
この出力端子３３の出力はデジタル復調器３４を介して出力端子３７に接続され、このデジタル復調器３４とアナログ復調器３１からのＡＧＣ信号は、スイッチ回路３５の夫々の端子に接続されている。このスイッチ回路３５の共通端子はＡＧＣ回路２２とＡＧＣ回路２５に夫々接続されるようになっている。
【００２６】
ここで点線で囲まれた部分については１つの金属製のシールドケース３６に挿入されてデジタル・アナログ共用チューナを形成している。ここでスイッチ３５をこのシールドケース３６の中に実装しておくこともできる。
【００２７】
以上のように構成されたデジタル・アナログ共用チューナにおいて、入力端子２１には０ｄＢｍから−８０ｄＢｍ程度の幅を有する信号が入力されるので、適正なＡＧＣをかける必要がある。このＡＧＣのかけかたについて図２に基づいて説明する。
【００２８】
図２において、横軸４１はアナログ復調器３１或いはデジタル復調器３４から出力されるＡＧＣ制御電圧を示し、縦軸４２はＡＧＣ制御電圧による減衰量を示している。単位は、ｄＢである。４３はＡＧＣ回路２２の減衰特性を表し、４４はＡＧＣ回路２５の減衰特性を表している。トータルの減衰特性は、ＡＧＣ回路２２の減衰特性４３とＡＧＣ回路２５の減衰特性４４を足した４５となり、大きな減衰特性を得ることができる。これにより入力端子２１に入力される入力レベルが大きな場合にも対応できる減衰量を得ることができる。ＡＧＣ電圧が４６の時点においてはＡＧＣ回路２２もＡＧＣ回路２５も信号レベルを減衰していない。ところが、入力端子２１に入力される信号レベルが高くなり、例えばＡＧＣ電圧が４７の時点になったとするとこの時においては、ＡＧＣ回路２２では４８までレベルを減衰するのに対して、ＡＧＣ回路２５では４９のレベルまでしか減衰しないようになっている。即ち第１のＡＧＣ回路であるＡＧＣ回路２２において大きな減衰量４８を得るので、ＡＧＣ回路２２からの出力信号がより小さくなるように制御されるためバッファアンプ２３およびＡＧＣ回路２５を用いたＭＯＳＦＥＴでの歪みが軽減される。
【００２９】
また、ＡＧＣ回路２２とＡＧＣ回路２５との間にバッファアンプ２３とアンテナ同調回路２４の順で直列に挿入しているので、ＡＧＣ回路２２がＡＧＣ制御電圧により減衰量を変化させた場合のインピーダンス変化がアンテナ同調回路２４へ及ぼす影響を軽減することができる。
【００３０】
なお、ＡＧＣ回路２５をＡＧＣ回路２２より先に大きく減衰させることにより、ＡＧＣ回路が動作を始める入力電界レベルから中電界レベルの間においては、ＮＦ特性に支配的なＡＧＣ回路２２の減衰量をＡＧＣ回路２５の減衰量より少なくできるため、ＮＦ特性を良化させることができる。
【００３１】
以上のように記載されたデジタル・アナログ共用チューナにおいて、アナログ復調器３１が一体化した金属製のシールドケース内に収納されているので、アナログＡＧＣ信号に対してはそのまま内部で第１のＡＧＣ回路２２と第２のＡＧＣ回路２５に接続することができる。また、これらの回路が金属製のシールドケースに収められているので、外部からの影響を受けにくく、外部へ与える妨害を軽減できる。更に、取り扱いも非常に容易にできる。
【００３２】
更にまた、デジタル復調器３４も同一のシールドケース３６に収納されているので、取り扱いが容易になり、ＡＧＣ回路２２とＡＧＣ回路２５に供給するＡＧＣ制御電圧切替用のスイッチ回路３５も内蔵しているので、更に取り扱いが容易となる。
【００３３】
【発明の効果】
以上のように本発明によれば、入力端子と混合回路との間に第１のＡＧＣ回路と、バッファアンプを介して第２のＡＧＣ回路を接続し、前記第１のＡＧＣ回路が前記第２のＡＧＣ回路より先に大きく減衰する減衰特性にすると共に、前記第１の出力端子に接続されるアナログ復調器或いは前記第２の出力端子に接続されるデジタル復調器から出力される信号に基づいて形成されるＡＧＣ信号で、前記第１のＡＧＣ回路と前記第２のＡＧＣ回路を制御したものである。このように第１のＡＧＣ回路と第２のＡＧＣ回路を直列に接続しているので、デジタル放送受信時に必要とされる充分な減衰量を得ることができる。
【００３４】
また、第１のＡＧＣ回路によって先に減衰させるように設定しているので、歪み特性を良好にすることができる。また、第１の出力端子と、第２の出力端子を有しているのでデジタル放送波の出力とアナログ放送波の出力を別々に出力することができる。
【図面の簡単な説明】
【図１】本発明の一実施の形態におけるデジタル・アナログ共用チューナのブロック図
【図２】同、特性図
【図３】従来のデジタル・アナログ共用チューナのブロック図
【符号の説明】
２１  入力端子
２２  ＡＧＣ回路
２３  バッファアンプ
２５  ＡＧＣ回路
２７  混合回路
２８  局部発振回路
２９  中間周波数フィルタ
３０  切替スイッチ
３１  アナログ復調器
３２  出力端子
３３  出力端子
３４  デジタル復調器
３８  出力端子
【図１】
2004215151.tif 000003
【図２】
2004215151.tif 000004
【図３】
2004215151.tif 000005